(57)【特許請求の範囲】
【請求項１】
両側面に上下方向に沿って複数の被引掛係止部が設けられた脚体と、
この脚体の被引掛係止部に着脱可能に引掛係止される引掛係止部が設けられているとともに、前記脚体の両側面にそれぞれ引掛係止された引掛係止状態で互いに凹凸係合する凹凸係合部が設けられている対の連結体と、
前記脚体およびこの脚体に引掛係止された連結体に着脱可能に挿通されて引掛係止状態に係止する係止具と
を具備していることを特徴とする脚装置。
【請求項２】
脚体には、各被引掛係止部に対応して係止具が挿通可能とする脚体側挿通孔が設けられ、
連結体には、前記脚体への引掛係止状態で脚体の係止孔に対向して係止具が挿通可能とする連結体側挿通孔が設けられている
ことを特徴とする請求項１記載の脚装置。
【請求項３】
係止具は、各挿通孔を挿通不可とする頭部、および各挿通孔を挿通可能とするとともに中間部が折曲された軸部を有する
ことを特徴とする請求項２記載の脚装置。
【請求項４】
連結体は、脚体の複数の被引掛係止部に引掛係止される複数の引掛係止部を備えている
ことを特徴とする請求項１ないし３いずれか記載の脚装置。
【請求項５】
対の連結体の内側間に収納空間が設けられている
ことを特徴とする請求項１ないし４いずれか記載の脚装置。
【請求項６】
被引掛係止部と引掛係止部とのいずれか一方は引掛孔で、他方は切り起こし形成されて引掛孔に着脱可能に引掛係止される切起片である
ことを特徴とする請求項１ないし５いずれか記載の脚装置。
【請求項７】
搬送物を搬送する搬送部と、
この搬送部を支持する請求項１ないし６いずれか記載の脚装置と
を具備していることを特徴とするコンベヤ。
【発明の詳細な説明】
【０００１】
【発明の属する技術分野】
本発明は、脚体に連結体を連結した脚装置およびこの脚装置を用いたコンベヤに関する。
【０００２】
【従来の技術】
従来、コンベヤでは、搬送物を搬送する搬送部およびこの搬送部を支持する脚装置を備えている。搬送部は、両側のフレームおよびこれら両側のフレーム間に配設される複数のローラやベルトなどの搬送手段を有し、また、脚装置は、両側のフレームを支持する対の脚体およびこれら対の脚体を連結する横継ぎ材である連結体を有している。
【０００３】
脚装置の脚体と連結体との組み立ては、複数のボルトおよびナットを用いて固定する場合や、溶接によって固定する場合がある。複数のボルトおよびナットを用いて固定する場合には、脚体と連結体とを位置決め保持してこれらにボルトを挿通し、ボルトの先端にナットを当てがいながらボルトを螺合操作し、締め付け固定している。また、溶接によって固定する場合には、脚体と連結体とを位置決め保持して溶接している。
【０００４】
【発明が解決しようとする課題】
しかしながら、脚装置の脚体と連結体とを組み立てる際に、複数のボルトおよびナットを用いる場合には、脚体と連結体とを位置決め保持して各ボルトを通し、各ボルトの先端に各ナットを当てがいながら各ボルトを螺合操作しなければならないため、簡単に組み立てることができず、手間および時間がかかる問題がある。また、溶接の場合には、脚体と連結体とを位置決め保持して溶接しなければならないため、簡単に組み立てることができず、手間および時間がかかる問題があるとともに、脚体に対する連結体の取付高さの変更には対応できない問題がある。
【０００５】
本発明は、このような点に鑑みなされたもので、脚体と連結体とを簡単かつ確実に組み立てられ、脚体に対する連結体の取付高さの設定および変更も容易にできる脚装置およびコンベヤを提供することを目的とする。
【０００６】
【課題を解決するための手段】
請求項１記載の脚装置は、両側面に上下方向に沿って複数の被引掛係止部が設けられた脚体と、この脚体の被引掛係止部に着脱可能に引掛係止される引掛係止部が設けられているとともに、前記脚体の両側面にそれぞれ引掛係止された引掛係止状態で互いに凹凸係合する凹凸係合部が設けられている対の連結体と、前記脚体およびこの脚体に引掛係止された連結体に着脱可能に挿通されて引掛係止状態に係止する係止具とを具備しているものである。
【０００７】
そして、この構成では、上下方向に沿って複数の被引掛係止部が設けられた脚体を用い、この脚体の被引掛係止部に連結体の引掛係止部を引掛係止し、これら脚体および連結体に係止具を挿通させて引掛係止状態に係止することにより、脚体と連結体とを簡単かつ確実に組み立てられ、脚体に対する連結体の取付高さの設定および変更も容易に可能とする。さらに、対の連結体を脚体の両側面に設けた引掛係止部に引掛係止することにより、対の連結体の凹凸係合部が互いに凹凸係合するので、組み合わせた状態での連結体の剛性が確保されてねじれなどの変形が防止される。
【０００８】
請求項２記載の脚装置は、請求項１記載の脚装置において、脚体には、各被引掛係止部に対応して係止具が挿通可能とする脚体側挿通孔が設けられ、連結体には、前記脚体への引掛係止状態で脚体の係止孔に対向して係止具が挿通可能とする連結体側挿通孔が設けられているものである。
【０００９】
そして、この構成では、脚体の被引掛係止部に連結体の引掛係止部を引掛係止することにより、脚体の脚体側挿通孔と連結体の連結体側挿通孔とが位置決めされて対向するため、位置決めの必要がなく、脚体側挿通孔および連結体側挿通孔に係止具を挿通可能とする。
【００１０】
請求項３記載の脚装置は、請求項２記載の脚装置において、係止具は、各挿通孔を挿通不可とする頭部、および各挿通孔を挿通可能とするとともに中間部が折曲された軸部を有するものである。
【００１１】
そして、この構成では、係止具の軸部を各挿通孔に挿通させるだけで、軸部の折曲箇所が挿通孔に引っ掛かり、係止具が抜け止めされる。
【００１２】
請求項４記載の脚装置は、請求項１ないし３いずれか記載の脚装置において、連結体は、脚体の複数の被引掛係止部に引掛係止される複数の引掛係止部を備えているものである。
【００１３】
そして、この構成では、連結体の複数の引掛係止部を脚体の複数の被引掛係止部に引掛係止することにより、脚体と連結体との結合強度が向上する。
【００１４】
請求項５記載の脚装置は、請求項１ないし４いずれか記載の脚装置において、対の連結体の内側間に収納空間が設けられているものである。
【００１５】
そして、この構成では、対の連結体の内側間に収納空間を設けたことにより、配線の収納などに有効に利用可能とする。
【００１６】
請求項６記載の脚装置は、請求項１ないし５いずれか記載の脚装置において、被引掛係止部と引掛係止部とのいずれか一方は引掛孔で、他方は切り起こし形成されて引掛孔に着脱可能に引掛係止される切起片であるものである。
【００１７】
そして、この構成では、被引掛係止部と引掛係止部とのいずれか一方は引掛孔で、他方は切り起こし形成されて引掛孔に着脱可能に引掛係止される切起片であることにより、簡単な構成で確実に引掛係止される。
【００１８】
請求項７記載のコンベヤは、搬送物を搬送する搬送部と、この搬送部を支持する請求項１ないし６いずれか記載の脚装置とを具備しているものである。
【００１９】
そして、この構成では、搬送物を搬送する搬送部を請求項１ないし６いずれか記載の脚装置で支持することにより、コンベヤの組立性が向上する。
【００２０】
【発明の実施の形態】
以下、本発明の一実施の形態を図面を参照して説明する。
【００２１】
図１ないし図６に第１の実施の形態を示す。図１において、11はコンベヤで、このコンベヤ11は、ローラコンベヤであり、搬送物を載せて搬送する搬送部12およびこの搬送部12の搬送方向の複数箇所を支持する複数の脚装置13を備えている。
【００２２】
搬送部12は、搬送方向に対して交差する両側に配置されるフレーム16を有し、これら両側のフレーム16間には搬送方向Ｆに対して軸方向を交差させた搬送手段としての複数のローラ17が搬送方向Ｆに沿って並設され、これら複数のローラ17上で搬送物を搬送する搬送面が構成されている。各フレーム16は、側面部18およびこの側面部18の上下縁部から外側へ向けて折曲された上下の縁部19，19を有する断面略コ字形に形成されている。
【００２３】
また、脚装置13は、両側のフレーム16に取り付けられる対の脚取付体22、これら脚取付体22を介して両側のフレーム16を支持する対の脚体23、これら各脚体23に両端部が引掛係止されて対の脚体23を連結する横継ぎ材である対の連結体24、および連結体24を脚体23に引掛係止状態に係止する係止具としての差込ピン25などを有している。連結体24については、２つの同一の連結体24を対として用い、これら対の連結体24が対の脚体23の両側にそれぞれ取り付けられて互いに組み合わされている。
【００２４】
脚取付体22は、図１および図６に示すように、コンベヤ11の外側方に臨む側面部28を有し、この側面部28の上側から上側取付部29が、側面部28の下側両端から各下側取付部30が、側面部28の両側から端面取付部31がそれぞれ折曲形成されており、下側取付部30間には脚体23が挿通される開口部32が形成されている。側面部28には、下部側に角度調整用取付孔33が形成され、この角度調整用取付孔33の上方位置で角度調整用取付孔33を中心とする円弧状の角度調整用長孔34が形成され、これら角度調整用取付孔33および角度調整用長孔34の上側に対の固定用取付孔35，36が形成されており、角度調整用取付孔33および角度調整用長孔34と対の固定用取付孔35，36とが同一ピッチに配列されている。そして、搬送部12を角度調整可能に支持する際には角度調整用取付孔33および角度調整用長孔34に締結具としてのボルト37，38が挿通されて脚体23に螺合され、搬送部12を一定角度に支持する際には対の固定用取付孔35，36にボルト37，38が挿通されて脚体23に螺合される。上側取付部29には搬送方向Ｆに複数の長孔39が形成され、各下側取付部30には連結孔40が形成され、端面取付部31には上下方向に複数の長孔41が形成されている。
【００２５】
脚体23は、図１および図２に示すように、コンベヤ11の外側方に臨む外面部44およびこの外面部44の両側から略直角に折曲された側面部45を有する断面略コ字形でかつ上下方向に長尺に形成されている。外面部44の上端側には、脚取付体22を通じて各ボルト37，38が螺着される対のねじ孔46が形成されている。両側の側面部45には、複数の被引掛係止部としての引掛孔47が上下方向に沿って等間隔に形成されているとともに、これら上下に並ぶ引掛孔47の間には丸孔形状の脚体側挿通孔48がそれぞれ形成されている。引掛孔47は、上部側に開口幅の大きい挿通部49が形成され、この挿通部49の下側の縁でかつコンベヤ11の中心側に対応する一側縁から引掛孔47内に突出する引掛部50が形成されており、略Ｌ字形の孔形状に形成されている。脚体23の下部にはコンベヤ11の設置面51に対して高さ調整可能とするアジャスタ52が配設されている。
【００２６】
連結体24は、図１、図３および図４に示すように、横長に形成された基板55を有し、この基板55の両端には対の脚体23の側面部45に接合される接合面56aを有する接合部56が形成されている。これら各接合部56には、脚体23の引掛孔47に着脱可能に引掛係止される複数の引掛係止部として２つの切起片57が上下方向に離間して設けられ、これら上下の切起片57間には丸孔形状の連結体側挿通孔58が形成されている。切起片57は、上端側の連結部59を残して接合部56から接合面56a側に切り起こし形成され、接合面56aとの間に脚体23の引掛部50の板厚に対応した間隙が形成されており、切起片57の上側の挿通部49に挿通可能とする形状に形成されているとともに、コンベヤ11の中心側に対応する縁には挿通部49を挿通した状態で下降することにより引掛部50に係合して接合面56aとの間に引掛部50を挟持する挟持部60が形成されている。２つの切起片57のピッチは脚体23の引掛孔47のピッチと同一に形成され、各切起片57がいずれかの引掛孔47に引掛係止された状態で連結体側挿通孔58が脚体側挿通孔48に同軸に対向するように構成されている。
【００２７】
対の連結体24が互いに組み合わされる基板55の内面55a側には、その基板55の上下縁部から折曲部61，62が折曲形成され、接合部56の基板55から方向に突出する部分でコンベヤ11の中心側に対応する縁部から折曲部63が折曲形成されている。上側の折曲部61の端部および折曲部63は脚体23との当接によって脚体23に対する連結体24の角度を一定範囲内に規制するように構成されている。上側の折曲部61は先端が下方に向けて折曲されて断面略Ｌ字形に形成されている。下側の折曲部62は先端が上方に向けて折曲されて断面略Ｌ字形に形成され、その先端には複数の当接部64が形成されている。下側の折曲部62の一端側の一部は当接部64として折曲されずに真っ直ぐに延設されて当接部64より突出する凸部65が形成されているとともに、他端側の一部には凹部66が形成されている。そして、図４に示すように、対の連結体24を対の脚体23に取り付けて互いに組み合わせた際に、対の連結体24の各当接部64が互いに当接するとともに、各凸部65と各凹部66とが互いに凹凸嵌合され、また、上側の折曲部61間には間隙があけられ、対の連結体24の内側間に収納空間67が形成される。そして、これら当接部64、凸部65および凹部66によって凹凸係合部68が構成される。
【００２８】
差込ピン25は、図１および図５に示すように、各挿通孔48，58を挿通不可とする頭部70、および各挿通孔48，58を挿通可能とする軸部71を有し、軸部71には頭部70寄りの中間部の曲部72で折曲されている。軸部71には頭部70が挿通不可能とするリング73が装着されている。曲部72は軸部71の各挿通孔48，58への挿通を許容する範囲で折曲され、軸部71を各挿通孔48，58を挿通させた状態での質量バラスは軸部71の先端側の自重によって頭部70がリング73を介して連結体24に接合する状態つまり挿通状態に保たれるような関係に設定されている。
【００２９】
次に、本実施の形態の作用を説明する。
【００３０】
脚装置13を組み立てるには、対の脚体23の両側に対の連結体24を連結する。
【００３１】
各連結体24の端部の各切起片57を各脚体23の任意の高さに位置する引掛孔47に合わせてそれら引掛孔47の上側の挿通部49に挿通する。挿通状態で連結体24を下降へ移動させることにより、連結体24の挟持部60が引掛孔47の引掛部50に係合し、連結体24の挟持部60と接合面56aとの間に引掛部50を挟持する。これにより、各切起片57が各引掛孔47に引掛係止した状態となる。
【００３２】
この連結体24の切起片57を脚体23の引掛孔47に引掛係止した状態では、連結体24の連結体側挿通孔58と脚体23の脚体側挿通孔48とが位置決めされて対向する。
【００３３】
差込ピン25の軸部71の先端を連結体24の連結体側挿通孔58および脚体23の脚体側挿通孔48に挿通させ、連結体24を脚体23に引掛係止した状態に係止する。
【００３４】
このように、上下方向に沿って複数の引掛孔47が設けられた脚体23を用い、連結体24の切起片57を脚体23の引掛孔47に引掛係止し、これら連結体24および脚体23に差込ピン25を挿通させて引掛係止状態に係止するので、連結体24と脚体23とを簡単かつ確実に組み立てることができる。
【００３５】
しかも、脚体23の引掛孔47に連結体24の切起片57を引掛係止することにより、脚体23の脚体側挿通孔48と連結体24の連結体側挿通孔58とが位置決めされて対向するため、位置決めの必要がなく、脚体23の脚体側挿通孔48および連結体24の連結体側挿通孔58に差込ピン25を容易に挿通させることができる。
【００３６】
さらに、差込ピン25が、各挿通孔48，58を挿通不可とする頭部70、および各挿通孔48，58を挿通可能とするとともに中間部が折曲された軸部71を有するので、軸部71を各挿通孔48，58に挿通させるだけで、軸部71の折曲箇所が挿通孔48，58に引っ掛かり、差込ピン25の抜け止めができる。
【００３７】
さらに、連結体24の複数の各切起片57を脚体23の複数の引掛孔47に引掛係止するので、脚体23と連結体24との結合強度を向上できる。
【００３８】
また、対の連結体24を脚体23の両側面に設けた引掛孔47に引掛係止することにより、対の連結体24の凹凸係合部68が互いに凹凸係合するので、組み合わせた状態での連結体24の剛性を確保してねじれなどの変形を防止でき、脚体23の強度を向上できる。
【００３９】
しかも、対の連結体24の内側間に収納空間67が設けられるので、コンベヤ11に関連した動力線や信号線などの配線の収納などに有効に利用できる。
【００４０】
また、差込ピン25を外して連結体24を上方へ移動させることにより、連結体24を脚体23から外すことができ、脚体23に対する連結体24の取付高さの設定および変更も容易にできる。
【００４１】
次に、図７に第２の実施の形態を示す。
【００４２】
対の連結体24を組み合わせる際に、互いの当接部64間に収納空間67を仕切る仕切体81を挟み込む。この仕切体81により、収納空間67を区画でき、例えば、動力線82と信号線83とを分離して収納でき、信号線83へのノイズの影響を低減できる。
【００４３】
仕切体81の一側には突片84を突設することにより、この突片84が一方の連結体24の当接部64に引っ掛かり、仕切体81を位置決めできるとともに位置ずれや落下を防止できる。
【００４４】
次に、図８に第３の実施の形態を示す。
【００４５】
対の連結体24を組み合わせた状態で、上側の折曲部61間に間隙があくため、この間隙を閉塞するカバー87を対の連結体24の上部に着脱可能に取り付ける。このカバー87により、対の連結体24の内側間に塵埃などが入り込んで溜まるのを防止できる。
【００４６】
次に、図９に第４の実施の形態を示す。
【００４７】
連結体24の上部に切欠部90を設け、この切欠部90にコンベヤ11の動力線や信号線などの配線が収納されるダクト91を嵌合配置する。この場合、ダクト91を連結体24の切欠部90に嵌合配置するだけで、ダクト91を位置決め保持でき、組立性を向上できる。
【００４８】
次に、図１０に第５の実施の形態を示す。
【００４９】
片持ち構造の脚装置13を示し、脚体23の下端に水平方向に設置部94が設けられて略Ｌ字形に形成され、この設置部94の両端にアジャスタ52が配設されている。
【００５０】
対の連結体24の一端は脚体23の両側に引掛係止され、他端は連結部材95によって連結されている。連結部材95は、例えば、脚体23の上下方向の一部を切断したもので、両側面に引掛孔47を備えている。
【００５１】
そして、対の連結体24上に搬送物を搬送する搬送部12を支持することにより、片持ちコンベヤ11を構成することができる。また、連結体24の脚体23に対する取付高さ位置を変えることにより、搬送部12の高さを任意に調整できる。
【００５２】
次に、図１１に第６の実施の形態を示す。
【００５３】
図１０の第５の実施の形態と同様の片持ち構造の脚装置13を用い、対の連結体24上にテーブル98を取り付けることにより、片持ちテーブルを構成することができる。また、連結体24の脚体23に対する取付高さ位置を変えることにより、テーブル98の高さを任意に調整できる。
【００５４】
したがって、脚装置13は、コンベヤ11に限らず、テーブルなど、各種の脚としての用途にも適用でき、同様の作用効果が得られる。
【００５５】
【発明の効果】
請求項１記載の脚装置によれば、上下方向に沿って複数の被引掛係止部が設けられた脚体を用い、この脚体の被引掛係止部に連結体の引掛係止部を引掛係止し、これら脚体および連結体に係止具を挿通させて引掛係止状態に係止するので、脚体と連結体とを簡単かつ確実に組み立てることができ、脚体に対する連結体の取付高さの設定および変更も容易にできる。さらに、対の連結体を脚体の両側面に設けた引掛係止部に引掛係止することにより、対の連結体の凹凸係合部が互いに凹凸係合するので、組み合わせた状態での連結体の剛性を確保してねじれなどの変形を防止できる。
【００５６】
請求項２記載の脚装置によれば、請求項１記載の脚装置の効果に加えて、脚体の被引掛係止部に連結体の引掛係止部を引掛係止することにより、脚体の脚体側挿通孔と連結体の連結体側挿通孔とが位置決めされて対向するため、位置決めの必要がなく、脚体の脚体側挿通孔および連結体の連結体側挿通孔に係止具を容易に挿通させることができる。
【００５７】
請求項３記載の脚装置によれば、請求項２記載の脚装置の効果に加えて、係止具が、各挿通孔を挿通不可とする頭部、および各挿通孔を挿通可能とするとともに中間部が折曲された軸部を有するので、軸部を各挿通孔に挿通させるだけで、軸部の折曲箇所が挿通孔に引っ掛かり、係止具の抜け止めができる。
【００５８】
請求項４記載の脚装置によれば、請求項１ないし３いずれか記載の脚装置の効果に加えて、連結体の複数の各引掛係止部を脚体の複数の被引掛係止部に引掛係止するので、脚体と連結体との結合強度を向上できる。
【００５９】
請求項５記載の脚装置によれば、請求項１ないし４いずれか記載の脚装置の効果に加えて、対の連結体の内側間に収納空間を設けたので、配線の収納などに有効に利用できる。
【００６０】
請求項６記載の脚装置によれば、請求項１ないし５いずれか記載の脚装置の効果に加えて、被引掛係止部と引掛係止部とのいずれか一方は引掛孔で、他方は切り起こし形成されて引掛孔に着脱可能に引掛係止される切起片であるので、簡単な構成で確実に引掛係止できる。
【００６１】
請求項７記載のコンベヤによれば、搬送物を搬送する搬送部を請求項１ないし６いずれか記載の脚装置で支持するので、コンベヤの組立性を向上できる。
【図面の簡単な説明】
【図１】  本発明の脚装置およびコンベヤの第１の実施の形態を示し、(a)は搬送方向の側面図、(b)は搬送方向と交差する方向の側面図である。
【図２】  同上脚装置の脚体を示し、(a)は平面図、(b)は搬送方向と交差する方向の側面図、(c)は搬送方向の側面図である。
【図３】  同上脚装置の連結体を示し、(a)は平面図、(b)は搬送方向の側面図、(c)は搬送方向と交差する方向の側面図である。
【図４】  同上脚装置の対の連結体を組み合わせた状態を示し、(a)は平面図、(b)は搬送方向と交差する方向の側面図である。
【図５】  同上脚装置の係止具の装着状態の断面図である。
【図６】  同上脚装置の脚取付体を示し、(a)は搬送方向と交差する方向の側面図、(b)は平面図、(c)は底面図、(d)は搬送方向の側面図である。
【図７】  第２の実施の形態を示す脚装置の対の連結体を組み合わせた状態であって、搬送方向と交差する方向の側面図である。
【図８】  第３の実施の形態を示す脚装置の対の連結体を組み合わせた状態であって、搬送方向と交差する方向の側面図である。
【図９】  第４の実施の形態を示すコンベヤの搬送方向の側面図である。
【図１０】  第５の実施の形態を示すコンベヤの搬送方向の側面図である。
【図１１】  第６の実施の形態を示す脚装置を用いたテーブルの側面図である。
【符号の説明】
11    コンベヤ
12    搬送部
13    脚装置
23    脚体
24    連結体
25    係止具としての差込ピン
47    被引掛係止部としての引掛孔
48    脚体側挿通孔
57    引掛係止部としての切起片
58    連結体側挿通孔
67    収納空間
68    凹凸係合部
70    頭部
71    軸部
【図１】
0004097125.tif 000002
【図２】
0004097125.tif 000003
【図３】
0004097125.tif 000004
【図４】
0004097125.tif 000005
【図５】
0004097125.tif 000006
【図６】
0004097125.tif 000007
【図７】
0004097125.tif 000008
【図８】
0004097125.tif 000009
【図９】
0004097125.tif 000010
【図１０】
0004097125.tif 000011
【図１１】
0004097125.tif 000012